(57)【特許請求の範囲】
【請求項１】
遊技機に対応して設けられ、当該対応する遊技機の遊技情報を記憶し、その遊技情報を遊技者向けに表示する遊技情報表示装置が複数設けられた遊技場用システムにおいて、
遊技機の配置替えに基づき、その配置替えが遊技情報の引継ぎを必要とする移動である場合に、当該遊技機に対応する前記遊技情報表示装置のＩＤであって、配置替え前の前記ＩＤ及び配置替え後の前記ＩＤを特定可能な入力操作を受付ける操作手段と、
前記操作手段にて受付けられた入力操作毎に、前記配置替え前のＩＤを転送元ＩＤとして特定する一方、前記配置替え後のＩＤを転送先ＩＤとして特定する特定手段と、
前記特定手段により特定された前記転送元ＩＤにより示される前記遊技情報表示装置が記憶する遊技情報を、前記転送先ＩＤにより示される前記遊技情報表示装置が記憶する遊技情報へと書換える書換処理を実行する書換手段と、
前記特定手段により同一の前記ＩＤが、一方の入力操作における転送元ＩＤとして特定される一方、他方の入力操作における転送先ＩＤとして特定されたか否かを判定する判定処理を行う判定手段と、
前記特定手段により同一の前記ＩＤが、一方の入力操作における転送元ＩＤとして特定される一方、他方の入力操作における転送先ＩＤとして特定されたとの判定結果が前記判定手段により得られた場合に、当該一方の入力操作である第１入力操作と、当該他方の入力操作である第２入力操作とを対応付ける対応付処理を行う対応付手段と、を備え、
前記書換手段は、前記対応付手段により対応付処理が行われた場合に、前記第１入力操作に対応する前記書換処理を前記第２入力操作に対応する前記書換処理に先行して実行することを特徴とする遊技場用システム。
【請求項２】
前記操作手段は、遊技機の配置替えに基づき、その配置替えが遊技機を撤去するために遊技情報の引継ぎを必要としない撤去である場合に、当該遊技機に対応する前記ＩＤを特定可能に前記入力操作を受付け、
前記特定手段は、前記撤去に対応する前記入力操作により特定される前記ＩＤを撤去ＩＤとして特定し、
前記判定手段は、前記特定手段により同一の前記ＩＤが、一方の入力操作における前記転送先ＩＤとして特定される一方、他方の入力操作における前記撤去ＩＤとして特定されたか否かをも前記判定処理として判定し、
前記対応付手段は、前記特定手段により同一の前記ＩＤが、一方の入力操作における前記転送先ＩＤとして特定される一方、他方の入力操作における前記撤去ＩＤとして特定されたとの判定結果が前記判定手段により得られた場合に、当該一方の入力操作と、当該他方の入力操作である第３入力操作とを対応ける対応付処理を行い、
前記書換手段は、複数の前記書換処理を実行する場合に、前記第３入力操作に対応付けられた入力操作に対応する前記書換処理を、他の前記第３入力操作に対応付けられていない入力操作に対応する前記書換処理に優先して実行することを特徴とする請求項１に記載した遊技場用システム。
【請求項３】
前記操作手段にて受付けられた入力操作についての整合表示を行う表示手段を備え、
前記判定手段は、前記転送元ＩＤ及び転送先ＩＤの少なくとも一方が異なる入力操作において重複して特定されたか否かをも前記判定処理として判定し、
前記表示手段は、前記転送元ＩＤ及び転送先ＩＤの少なくとも一方が異なる入力操作において重複して特定されたとの判定結果が前記判定手段により得られた場合に、当該ＩＤに関わる前記入力操作に矛盾が生じていることを特定可能に表示することを特徴とする請求項１又は２に記載した遊技場用システム。
【請求項４】
前記操作手段にて受付けられた入力操作についての整合表示を行う表示手段を備え、
前記操作手段は、配置替えが遊技機を撤去するために遊技情報の引継ぎを必要としない撤去、遊技機を新規に導入するために遊技情報の初期化を必要とする導入及び前記移動の何れであるかと、その対応する前記ＩＤとを特定可能に前記入力操作を受付け、
前記特定手段は、前記操作手段にて受付けられた入力操作が前記撤去、前記導入及び前記移動の何れに対応するかを特定すると共に、前記撤去に対応すると特定した場合には当該対応する前記ＩＤを撤去ＩＤとして特定する一方、前記導入に対応すると特定した場合には当該対応する前記ＩＤを導入ＩＤとして特定し、
前記判定手段は、前記撤去ＩＤ又は前記転送元ＩＤとして特定された前記ＩＤが前記導入ＩＤと前記転送先ＩＤとの何れにも特定されていないこと及び前記導入ＩＤ又は前記転送先ＩＤとして特定された前記ＩＤが前記撤去ＩＤと前記転送元ＩＤとの何れにも特定されていないことの少なくとも一方を示す未確定であるか否かをも前記判定処理として判定し、
前記表示手段は、前記判定手段により未確定であると判定された前記ＩＤがある場合に、当該ＩＤに関わる前記入力操作に矛盾が生じていることを特定可能に表示することを特徴とする請求項１又は２に記載した遊技場用システム。
【請求項５】
前記入力操作毎に対応する前記ＩＤを特定可能なグループを作成するグループ作成手段と、
前記グループを分割するグループ分割手段と、
前記グループを統合するグループ統合手段と、を備え、
前記操作手段は、一の入力操作に対応して複数の前記ＩＤを入力可能に前記入力操作を受付け、
前記判定手段は、前記グループ単位で前記判定処理を実行し、
前記グループ分割手段は、前記入力操作により複数の前記ＩＤが入力され、その入力操作に対応するグループが複数の前記ＩＤを特定可能である状態で当該グループに属する前記ＩＤの一部と当該グループとは異なるグループに属する前記ＩＤとが判定対象となった場合に、当該グループを、当該判定対象となった前記ＩＤの一部を特定可能なグループと、その他の前記ＩＤを特定可能なグループとに分割し、
前記グループ統合手段は、前記対応付処理により入力操作が対応付けられた場合に、当該対応付けられた２つの入力操作の各々に対応したグループを、対応する入力操作毎に対応する前記ＩＤを特定可能に統合し、
前記表示手段は、前記グループ単位で前記整合表示を行うことを特徴とする請求項３又は４に記載した遊技場用システム。
【請求項６】
前記特定手段により同一の前記ＩＤが、一方の入力操作における転送元ＩＤとして特定される一方、他方の入力操作における転送先ＩＤとして特定されているとの判定結果が前記判定手段により得られ、当該一方の入力操作と他方の入力操作とが同一のグループに対応している場合に、当該グループに対応した前記移動はループしていると判定するループ判定手段と、
前記ループ判定手段によりループしていると判定されたグループに属する前記ＩＤが示す少なくとも１つの前記遊技情報表示装置が記憶する遊技情報を補助的に記憶する補助記憶手段と、を備え、
前記書換手段は、前記ループ判定手段によりループしていると判定されたグループが有る状態で当該グループに対応する前記書換処理を実行する場合に、当該グループにより特定される前記ＩＤが示す少なくとも１つの前記遊技情報表示装置が記憶する遊技情報を前記補助記憶手段に記憶させた上で、その遊技情報表示装置のＩＤを前記転送先ＩＤとした前記書換処理を実行し、その書換処理の完了により、当該完了した書換処理における転送元ＩＤを転送先ＩＤとした前記書換処理を順次実行し、その書換処理における前記転送元ＩＤにより示される前記遊技情報表示装置が前記補助記憶手段に遊技情報を記憶させた前記遊技情報表示装置である場合に、前記補助記憶手段が記憶する遊技情報を当該書換処理における転送先ＩＤが示す遊技情報表示装置へと記憶させることで、当該グループに関わる書換処理を実行することを特徴とする請求項５に記載した遊技場用システム。
【発明の詳細な説明】
【技術分野】
【０００１】
本発明は、遊技機に対応して設けられ、当該対応する遊技機の遊技情報を記憶し、その遊技情報を遊技者向けに表示する遊技情報表示装置が複数設けられた遊技場用システムに関する。
【背景技術】
【０００２】
遊技場では遊技客を呼込むために新台入替や台移動等の配置替えを頻繁に行っている。そして、管理装置において、台移動する際の配置替え前の遊技情報と配置替え後の遊技情報とを対応付けて管理する提案もなされている（例えば特許文献１参照）。
【先行技術文献】
【特許文献】
【０００３】
【特許文献１】特開２００４−６５６８６号公報
【発明の概要】
【発明が解決しようとする課題】
【０００４】
さて、遊技場の管理者において配置替え前の遊技情報を配置替え後にも継続して管理したいという要望があるのと同様に、遊技者においても配置替え前の遊技情報を把握したいという要望が当然にしてある。このような要望に応えるため、遊技場では遊技者向けの遊技情報表示装置において遊技情報の引継ぎを行うようにしている。ところが、遊技者向けの遊技情報表示装置においては記憶可能な容量が限られているため、特許文献１のように単純に配置替え前の遊技情報と配置替え後の遊技情報とを対応付けるのではなく、その遊技情報自体を書換える必要があり、以下のような問題が生ずる。
【０００５】
即ち、１番台の遊技情報を２番台へと引継ぎ、更に２番台の遊技情報を３番台へと引継ぎたい場合に、１番台から２番台への遊技情報の引継ぎを２番台から３番台への遊技情報の引継ぎに先行して行うと、２番台の遊技情報が３番台の遊技情報として書換わる前に、１番台の遊技情報が２番台の遊技情報として書換わり、３番台の遊技情報として本来書換わるべき２番台の遊技情報（２番台から３番台への引継ぎ対象となる遊技情報）が消失してしまうことになる。遊技場の管理者は上記した事態を回避するように引継ぎ対象の台番を定めて遊技情報の引継ぎを行っている。
【０００６】
このような状況に加えて近年における遊技機の多様化に伴い、１台単位で遊技機種が入替されるのに加えて多い時には１００台以上の遊技機の配置替えもあることから、遊技場の管理者は、上記した引継ぎ対象の遊技情報を消失させることなく、１００台以上の引継ぎ対象の台番を１台単位で定める必要があり、その指示操作が極めて煩雑であり、その作業時間が非常に長くなる場合があった。更に営業中には遊技情報の引継ぎを行うことが不可能であるので、閉店後の限られた時間内で遊技情報の引継ぎを行わなければならないという事情がある。
【０００７】
本発明は、上記した事情に鑑みてなされたものであり、その目的は、遊技機の配置替えに伴う遊技者向けの遊技情報表示装置における遊技情報の引継ぎを効率良く円滑に行うことを可能とする遊技場用システムを提供することにある。
【課題を解決するための手段】
【０００８】
請求項１に記載した発明は、遊技機に対応して設けられ、当該対応する遊技機の遊技情報を記憶し、その遊技情報を遊技者向けに表示する遊技情報表示装置が複数設けられた遊技場用システムにおいて、遊技機の配置替えに基づき、その配置替えが遊技情報の引継ぎを必要とする移動である場合に、当該遊技機に対応する前記遊技情報表示装置のＩＤであって、配置替え前の前記ＩＤ及び配置替え後の前記ＩＤを特定可能な入力操作を受付ける操作手段と、前記操作手段にて受付けられた入力操作毎に、前記配置替え前のＩＤを転送元ＩＤとして特定する一方、前記配置替え後のＩＤを転送先ＩＤとして特定する特定手段と、前記特定手段により特定された前記転送元ＩＤにより示される前記遊技情報表示装置が記憶する遊技情報を、前記転送先ＩＤにより示される前記遊技情報表示装置が記憶する遊技情報へと書換える書換処理を実行する書換手段と、前記特定手段により同一の前記ＩＤが、一方の入力操作における転送元ＩＤとして特定される一方、他方の入力操作における転送先ＩＤとして特定されたか否かを判定する判定処理を行う判定手段と、前記特定手段により同一の前記ＩＤが、一方の入力操作における転送元ＩＤとして特定される一方、他方の入力操作における転送先ＩＤとして特定されたとの判定結果が前記判定手段により得られた場合に、当該一方の入力操作である第１入力操作と、当該他方の入力操作である第２入力操作とを対応付ける対応付処理を行う対応付手段と、を備え、前記書換手段は、前記対応付手段により対応付処理が行われた場合に、前記第１入力操作に対応する前記書換処理を前記第２入力操作に対応する前記書換処理に先行して実行するところに特徴を有する。
【０００９】
請求項２に記載した発明は、前記操作手段は、遊技機の配置替えに基づき、その配置替えが遊技機を撤去するために遊技情報の引継ぎを必要としない撤去である場合に、当該遊技機に対応する前記ＩＤを特定可能に前記入力操作を受付け、前記特定手段は、前記撤去に対応する前記入力操作により特定される前記ＩＤを撤去ＩＤとして特定し、前記判定手段は、前記特定手段により同一の前記ＩＤが、一方の入力操作における前記転送先ＩＤとして特定される一方、他方の入力操作における前記撤去ＩＤとして特定されたか否かをも前記判定処理として判定し、前記対応付手段は、前記特定手段により同一の前記ＩＤが、一方の入力操作における前記転送先ＩＤとして特定される一方、他方の入力操作における前記撤去ＩＤとして特定されたとの判定結果が前記判定手段により得られた場合に、当該一方の入力操作と、当該他方の入力操作である第３入力操作とを対応ける対応付処理を行い、前記書換手段は、複数の前記書換処理を実行する場合に、前記第３入力操作に対応付けられた入力操作に対応する前記書換処理を、他の前記第３入力操作に対応付けられていない入力操作に対応する前記書換処理に優先して実行するところに特徴を有する。
【００１０】
請求項３に記載した発明は、前記操作手段にて受付けられた入力操作についての整合表示を行う表示手段を備え、前記判定手段は、前記転送元ＩＤ及び転送先ＩＤの少なくとも一方が異なる入力操作において重複して特定されたか否かをも前記判定処理として判定し、前記表示手段は、前記転送元ＩＤ及び転送先ＩＤの少なくとも一方が異なる入力操作において重複して特定されたとの判定結果が前記判定手段により得られた場合に、当該ＩＤに関わる前記入力操作に矛盾が生じていることを特定可能に表示するところに特徴を有する。
【００１１】
請求項４に記載した発明は、前記操作手段にて受付けられた入力操作についての整合表示を行う表示手段を備え、前記操作手段は、配置替えが遊技機を撤去するために遊技情報の引継ぎを必要としない撤去、遊技機を新規に導入するために遊技情報の初期化を必要とする導入及び前記移動の何れであるかと、その対応する前記ＩＤとを特定可能に前記入力操作を受付け、前記特定手段は、前記操作手段にて受付けられた入力操作が前記撤去、前記導入及び前記移動の何れに対応するかを特定すると共に、前記撤去に対応すると特定した場合には当該対応する前記ＩＤを撤去ＩＤとして特定する一方、前記導入に対応すると特定した場合には当該対応する前記ＩＤを導入ＩＤとして特定し、前記判定手段は、前記撤去ＩＤ又は前記転送元ＩＤとして特定された前記ＩＤが前記導入ＩＤと前記転送先ＩＤとの何れにも特定されていないこと及び前記導入ＩＤ又は前記転送先ＩＤとして特定された前記ＩＤが前記撤去ＩＤと前記転送元ＩＤとの何れにも特定されていないことの少なくとも一方を示す未確定であるか否かをも前記判定処理として判定し、前記表示手段は、前記判定手段により未確定であると判定された前記ＩＤがある場合に、当該ＩＤに関わる前記入力操作に矛盾が生じていることを特定可能に表示するところに特徴を有する。
【００１２】
請求項５に記載した発明は、前記入力操作毎に対応する前記ＩＤを特定可能なグループを作成するグループ作成手段と、前記グループを分割するグループ分割手段と、前記グループを統合するグループ統合手段と、を備え、前記操作手段は、一の入力操作に対応して複数の前記ＩＤを入力可能に前記入力操作を受付け、前記判定手段は、前記グループ単位で前記判定処理を実行し、前記グループ分割手段は、前記入力操作により複数の前記ＩＤが入力され、その入力操作に対応するグループが複数の前記ＩＤを特定可能である状態で当該グループに属する前記ＩＤの一部と当該グループとは異なるグループに属する前記ＩＤとが判定対象となった場合に、当該グループを、当該判定対象となった前記ＩＤの一部を特定可能なグループと、その他の前記ＩＤを特定可能なグループとに分割し、前記グループ統合手段は、前記対応付処理により入力操作が対応付けられた場合に、当該対応付けられた２つの入力操作の各々に対応したグループを、対応する入力操作毎に対応する前記ＩＤを特定可能に統合し、前記表示手段は、前記グループ単位で前記整合表示を行うところに特徴を有する。
【００１３】
請求項６に記載した発明は、前記特定手段により同一の前記ＩＤが、一方の入力操作における転送元ＩＤとして特定される一方、他方の入力操作における転送先ＩＤとして特定されているとの判定結果が前記判定手段により得られ、当該一方の入力操作と他方の入力操作とが同一のグループに対応している場合に、当該グループに対応した前記移動はループしていると判定するループ判定手段と、前記ループ判定手段によりループしていると判定されたグループに属する前記ＩＤが示す少なくとも１つの前記遊技情報表示装置が記憶する遊技情報を補助的に記憶する補助記憶手段と、を備え、前記書換手段は、前記ループ判定手段によりループしていると判定されたグループが有る状態で当該グループに対応する前記書換処理を実行する場合に、当該グループにより特定される前記ＩＤが示す少なくとも１つの前記遊技情報表示装置が記憶する遊技情報を前記補助記憶手段に記憶させた上で、その遊技情報表示装置のＩＤを前記転送先ＩＤとした前記書換処理を実行し、その書換処理の完了により、当該完了した書換処理における転送元ＩＤを転送先ＩＤとした前記書換処理を順次実行し、その書換処理における前記転送元ＩＤにより示される前記遊技情報表示装置が前記補助記憶手段に遊技情報を記憶させた前記遊技情報表示装置である場合に、前記補助記憶手段が記憶する遊技情報を当該書換処理における転送先ＩＤが示す遊技情報表示装置へと記憶させることで、当該グループに関わる書換処理を実行するところに特徴を有する。
【発明の効果】
【００１４】
請求項１に記載した発明によれば、遊技場の管理者が配置替え前後の遊技機に対応する遊技情報表示装置のＩＤ（台番）を入力すると、その入力操作の対応付けを行い、その入力操作の対応付けにより、遊技情報を転送先へと書換えた遊技情報表示装置を転送先とする書換処理を実行するように構成したので、遊技場の管理者が書換順序を気遣うことなく入力操作を行ったとしても、その書換処理により遊技情報が消失することを回避することができ、その書換処理に要する処理時間を短縮することができ、しかも、遊技情報表示装置に書換処理に対応する余分な記憶領域を設ける必要がなくなる。
【００１５】
請求項２に記載した発明によれば、書換処理を実行する場合に、データを転送する必要の無い撤去対象の遊技機に対応する遊技情報表示装置を転送先とする書換処理を優先して実行するように構成したので、その書換処理により遊技情報が消失することをより確実に回避することができ、書換処理をより適切に実行することができる。
【００１６】
請求項３に記載した発明によれば、遊技場の管理者が誤って重複したＩＤを転送先又は転送元として入力した場合であっても、その旨を表示するように構成したので、その表示に応じて重複が無くなるように修正を行うことで矛盾の無い入力操作を行うことができ、誤った入力操作を修正することができ、その処理時間を短縮することができる。
【００１７】
請求項４に記載した発明によれば、未確定である場合に、その旨を表示するように構成したので、その表示に応じて未確定が無くなるように修正を行うことで矛盾の無い入力操作を行うことができ、入力操作の欠落を防ぐことができ、その処理時間を短縮することができる。
【００１８】
請求項５に記載した発明によれば、グループ単位で整合表示を行うように構成したので、グループ単位で容易に把握することができ、この場合、グループの分割により入力操作において複数のＩＤを一括して入力可能にしても、整合表示を的確に可能とする一方、グループの統合によりデータの移動の書換推移を容易に遊技場の管理者に提示することができる。
【００１９】
請求項６に記載した発明によれば、書換処理がループした場合であっても、遊技情報を補助記憶手段に一旦記憶させることで退避させるように構成したので、遊技情報が消失することなく書換処理を実行することができる。
【図面の簡単な説明】
【００２０】
【図１】本発明の一実施形態を示す全体構成図
【図２】情報表示装置のデータ記憶領域を示す図
【図３】情報表示装置の正面図
【図４】機種設定を示す図
【図５】入力表示を示す図
【図６】並べ替え処理を示すフローチャート
【図７】転送先更新処理を示すフローチャート（その１）
【図８】転送先更新処理を示すフローチャート（その２）
【図９】転送元更新処理を示すフローチャート（その１）
【図１０】転送元更新処理を示すフローチャート（その２）
【図１１】修正処理を示すフローチャート
【図１２】転送処理を示すフローチャート
【図１３】グループ毎の転送処理を示すフローチャート
【図１４】ループ転送処理を示すフローチャート
【図１５】入力を示す図
【図１６】整合表示の推移を示す図
【図１７】図１６相当図
【図１８】図１６相当図
【発明を実施するための形態】
【００２１】
以下、本発明の一実施形態について図面を参照して説明する。図１は、全体構成を示す概略図である。遊技場にはパチンコ遊技機（以下、遊技機と称する）１に対応して貸出装置２及び情報表示装置３（本発明でいう遊技情報表示装置）が設置されており、２台の貸出装置２及び２台の情報表示装置３は中継装置４に接続されている。中継装置４はＬＡＮ５を介して例えば管理室に設置されている管理装置６に接続されている。管理装置６は、遊技機１側（遊技機１及び貸出装置２）から出力された遊技信号を中継装置４を介して受信する。尚、図１では省略しているが、数１００台の遊技機１が管理装置６の管理対象となる。
【００２２】
遊技機１は、所謂デジパチとしての周知の構成を有し、払出された遊技玉を受ける上部玉受皿７、上部玉受皿７から溢れた玉又は図示しないレバー操作により上部玉受皿７から導かれた玉を受ける下部玉受皿８、上部玉受皿７の玉を盤面に発射するためのハンドル９等が設けられている。又、遊技機１の盤面には、普図（普通図柄）入賞口１０、第１始動口１１、第２始動口１２、第１始動口１１又は第２始動口１２への入賞に応じて表示図柄が変動する液晶表示部１３、液晶表示部１３に表示された図柄が大当たり図柄である場合に発生する大当たり時に開放する大入賞口１４等が設けられている。
【００２３】
貸出装置２は、遊技者が貨幣を投入するための貨幣投入口１５、遊技情報や残高や獲得玉等の各種情報を表示する表示機能及び遊技者からの入力を受付ける入力受付機能を有するタッチパネル式の液晶表示部１６、遊技者が会員カードを挿入するためのカード挿入口１７、遊技者がカード挿入口１７に挿入されている会員カードを排出させるために操作する排出釦１８等が設けられている。又、遊技機１の上部玉受皿６よりやや上方の位置に玉払出口１９が設けられていると共に、玉払出口１９を覆うように払出ノズル２０が設けられており、玉払出口１９から払出された遊技玉は払出ノズル２０を経由して上部玉受皿７に供給される。
【００２４】
遊技機１は以下のように動作する。
（１）第１始動口１１又は第２始動口１２への入賞に応じて大当たり抽選を行い、抽選結果に基づいて所謂特別図柄（特図）による図柄変動を液晶表示部１３にて実行し、その結果に応じて大当たりを発生させる。尚、所謂保留玉の上限は各４個ずつであり、保留中に始動入賞した場合は上限まで保留し、図柄変動終了後に順次保留した図柄変動を実行する。
（２）大当たり抽選の当選確率（大当たり確率）は１／３００であり、大当たりのうち大当たり後に確変状態（確変）となる大当たりの割合は７０％である。又、対応するラウンド（Ｒ）を１５Ｒ：２Ｒ＝２：１の割合となるように確率を振分ける。
（３）大当たりが発生すると対応するラウンド（Ｒ）に応じた分だけ大入賞口１４を開放する。尚、１Ｒの上限入賞数は１０個であり、上限開放時間は３０秒であり、上限入賞数又は上限開放時間の何れかが満たされた場合に１Ｒを終了する。
（４）確変中は大当たり確率が１／３０に向上すると共に、第２始動口１２への入賞率が向上する時短状態（時短）になる。尚、確変は次回の大当たりまで継続するので、大当たり後に通常遊技状態（通常）となる大当たり（通常大当たり）が発生するまで継続する。
（５）確変中に発生した通常大当たり終了後はその後１００回の図柄変動を行うまで確変ではない時短となる一方、通常中に発生した通常大当たり終了後はそのまま通常へと復帰する。
【００２５】
遊技機１側からは次に示す遊技信号が出力される。
「アウト信号」：使用玉を回収するアウトＢＯＸから出力される使用媒体数（アウト）を特定可能な信号である。回収（使用、打込）玉１０玉に対して１パルスが出力されるので、「アウト信号数×１０」をアウトとして特定する。尚、遊技機１から出力される信号であっても良い。
「セーフ信号」：遊技機１から出力される払出媒体数（セーフ）を特定可能な信号である。払出１０玉に対して１パルスが出力されるので、「セーフ信号数×１０」をセーフとして特定する。尚、補給装置から出力される補給信号をセーフ信号としても良い。
「始動信号」：遊技機１から出力される図柄変動数（役物作動数、スタート）を特定可能な信号である。第１始動口１１又は第２始動口１２への入賞により変動（動作）する液晶表示部１３（役物）における図柄変動（役物作動、スタート処理）１回につき１パルスが出力されるので、「始動信号数×１」をスタートとして特定する。尚、第１始動口１１又は第２始動口１２への入賞に応じて出力される始動入賞信号を大当たり抽選と見做して始動信号としても良い。
「大当たり信号」：遊技機１から出力される大当たりを特定可能な信号である。大当たり中にレベル出力される状態信号であるので、大当たり信号受信中を大当たり中として特定する。
「確変信号」：遊技機１から出力される確変又は時短中を特定可能な信号である。確変又は時短中にレベル出力される状態信号であるので、確変信号の受信中を特別状態期間（甘中）として特定する。
「売上信号」：貸出装置２から出力される売上情報（売上玉数、売上額）を特定可能な信号である。遊技者に対する貸出玉２５玉毎に１パルスが出力されるので、売上信号数×２５を売上玉数として特定し、売上玉数×貸出単価（例えば４円）を売上額として特定する。
【００２６】
管理装置６は、ＣＰＵからなる制御部（本発明でいう特定手段、書換手段、判定手段、対応付手段、グループ作成手段、グループ分割手段、グループ統合手段、ループ判定手段）、ＨＤＤ、ＲＡＭ及びＲＯＭ等からなる記憶部（本発明でいう補助記憶手段）、Ｉ／Ｆからなる送受信部、モニタ及びプリンタ等からなる出力部（本発明でいう表示手段）、キーボード及びマウス等からなる操作部（本発明でいう操作手段）等を備え、遊技機１側から出力された遊技信号を受信することに基づいて遊技情報を当該遊技機１に対して個別に付与されている遊技機ＩＤ（台番）毎に集計して特定する機能を有している。
【００２７】
情報表示装置３は、ＣＰＵからなる制御部（本発明でいう書換手段）、ＨＤＤ、ＲＡＭ及びＲＯＭ等からなる記憶部、Ｉ／Ｆからなる送受信部、各種の遊技情報を表示する表示部等を備えている。情報表示装置３は、図２に示すデータ記憶領域を備え、遊技機１側から出力された遊技信号を受信することに基づいて遊技情報を特定してデータ記憶領域を更新すると共に、複数日（例えば１０日分）の遊技情報を営業日毎に記憶して表示する機能を有している。データ記憶領域における「項目」の意味は次の通りである。
「大当たり」：営業日毎の累計大当たり回数である。
「超」：「大当たり」のうち最高ラウンド（１５Ｒ）の大当たり回数である。
「小」：「超」以外の大当たり回数である（２Ｒ）。
「確変」：前後何れかの状態が確変状態である大当たり回数である。
「最終スタート」：前回の大当たりからのスタート回数である。
「累計スタート」：営業日毎の累計スタート回数である。
「Ｎ回前Ｓ」：Ｎ回前の大当たりに対応するスタート（その前の大当たり終了後から当該大当たりが発生するまでのスタート）回数である。
【００２８】
図３は、情報表示装置３の正面図である。情報表示装置３には、複数のデータ切替釦を含むデータ切替釦群２１及び呼出釦２２が設けられていると共に、上記した表示部として、アウト（縦軸）と出玉（セーフ−アウト）（横軸）との相対関係をグラフ化して表示する出玉グラフ表示部２３、大当たり回数を表示する大当たり回数表示部２４、大当たりの履歴（Ｎ回前のスタートに対応）を表示する履歴表示部２５、スタートを表示するスタート表示部２６及び各種イベント情報等を表示するテロップ表示部２７が設けられている。又、情報表示装置３は、設定情報や遊技情報を中継装置４を介して他の情報表示装置３や管理装置６との間で送受信可能に構成されている。
【００２９】
管理装置６は、図４に示す機種設定を記憶保持しており、情報表示装置３が属する台番範囲に対応する機種名を管理している。さて、遊技場の管理者は遊技機１の入替として、台移動（本発明でいう移動）、撤去、新台（本発明でいう導入、即ち、導入とは新台として導入することを意味する）に応じて情報表示装置３のデータを転送させたい場合には管理装置６にて入力操作を行うことが可能である。図５は管理装置６が表示する入力表示画面を示している。入力表示画面では左半部が新規入力部３１ａ及び入力表示部３１ｂとされていると共に右半部が整合表示部３１ｃとされている。
【００３０】
遊技場の管理者は新規入力部３１ａにて台番範囲の入力操作を行う。即ち、遊技場の管理者は遊技機１を撤去又は台移動する場合には転送元の欄に入替前の台番範囲の入力操作を行い、新台を入替する場合又は台移動する場合には転送先の欄に入替後の台番範囲の入力操作を行う。尚、遊技場の管理者が転送元の欄に台番範囲の入力操作を行わずに確定入力操作（例えばＥｎｔｅｒキーの入力）を行うと転送元の欄に「新台」が入力され、転送先の欄に台番範囲の入力操作を行わずに確定入力操作を行うと転送先の欄に「撤去」が入力される。
【００３１】
遊技場の管理者が転送元の欄に台番範囲の入力操作を行うと、図４で説明した機種設定における当該入力された台番範囲に対応する現在の機種名が入力される一方、入力操作が行わなければ、遊技場の管理者が転送先の欄に台番範囲の入力操作を行った後に機種名の欄に入力対象が移動し、機種名の入力操作が可能となる。台番範囲の入力操作が転送元の欄のみに行われた場合であれば、撤去の欄に対応する遊技機１の台数が入力される。例えば台番範囲として「１５２−１５０」を指定する入力操作が転送元の欄のみに行われた場合であれば、撤去の欄に「３」が入力される。
【００３２】
又、台番範囲の入力操作が転送先の欄のみに行われた場合であれば、新台の欄に対応する遊技機１の台数が入力される。例えば台番範囲として「３１１−３０８」を指定する入力操作が転送先の欄のみに行われた場合であれば、新台の欄に「４」が入力される。更に、台番範囲の入力操作が転送元及び転送先の双方の欄に行われた場合であれば、台移動の欄に対応する遊技機１の台数が入力される。例えば台番範囲として「１３３−１３６」を指定する入力操作が転送元の欄に行われ且つ「１５２−１４９」を指定する入力操作が転送先の欄に行われた場合であれば、台移動の欄に「４」が入力される。台番範囲の入力操作が転送元及び転送先の双方の欄に行われなかった場合であれば、無効として処理する。又、機種名の欄は撤去、台移動、新台の区分に応じて識別表示され、例えば撤去は「赤」、台移動は「緑」、新台は「黄」等で色分け表示される。尚、図５では撤去を斜め方向のハッチングにより示し、台移動を縦方向のハッチングにより示し、新台を横方向のハッチングにより示している。
【００３３】
このようにして転送元、転送先及び機種名の欄の入力操作が確定され、管理装置６が詳しくは後述する並べ替え処理を実行することで整合表示部３１ｃが更新される一方、新規入力部３１ａにおける撤去、台移動、新台の合計欄の遊技機１の台数（合計数）が更新され、新規入力部３１ａに対応する新レコードが作成される。尚、遊技場の管理者が終了釦３１ｄを押下すると、管理装置６は入力表示を終了する一方、遊技場の管理者が転送釦３１ｅを押下すると、管理装置６は詳しくは後述する転送処理を実行する。
【００３４】
次に、上記した構成の作用について、図６乃至図１８を参照して説明する。図６は管理装置６が本発明に関連して実行する並べ替え処理を示し、図７及び図８は管理装置６が並べ替え処理で実行する転送先更新処理を示し、図９及び図１０は管理装置６が並べ替え処理で実行する転送元更新処理を示し、図１１は管理装置６が並べ替え処理で実行する修正処理を示している。図１２は管理装置６が本発明に関連して実行する転送処理を示し、図１３は管理装置６が転送処理で実行するグループ毎の転送処理を示しており、図１４は管理装置６がグループ毎の転送処理で実行するループ転送処理を示している。以下、これらの処理について順次説明する。尚、本実施形態では後述するように、管理装置６はデータ転送を指示する転送指示信号やデータのクリアを指示するクリア指示信号を情報表示装置３に送信し、情報表示装置３は管理装置６から送信された転送指示信号を受信することでデータを書換えるものであり、即ち、これら管理装置６及び情報表示装置３により本発明でいう書換手段が構成されている。
【００３５】
（１）並べ替え処理
管理装置６は、並べ替え処理を開始すると、追加入力が行われたか否かを判定すると共に（Ａ１）、修正入力が行われたか否かを判定する（Ａ２）。管理装置６は、追加入力及び修正入力の何れもが行われなかったと判定すると（Ａ１：ＮＯ、Ａ２：ＮＯ）、並べ替え処理を終了してメイン処理に戻る。
【００３６】
ここで、管理装置６は、追加入力が行われたと判定すると（Ａ１：ＹＥＳ）、新規グループを作成し（Ａ３）、追加入力が新台であるか否かを判定し（Ａ４）、追加入力が新台であると判定すると（Ａ４：ＹＥＳ）、転送先更新処理に移行する（Ａ５）。そして、管理装置６は、転送先更新処理を終了すると、グループを整列し（Ａ６）、並べ替え処理を終了してメイン処理に戻る。又、管理装置６は、追加入力が新台でないと判定すると（Ａ４：ＮＯ）、追加入力が撤去であるか否かを判定し（Ａ７）、追加入力が撤去であると判定すると（Ａ７：ＹＥＳ）、転送元更新処理に移行する（Ａ８）。そして、管理装置６は、転送元更新処理を終了すると、グループを整列し（Ａ６）、並べ替え処理を終了してメイン処理に戻る。
【００３７】
更に、管理装置６は、追加入力が新台及び撤去の何れでもなく台移動であると判定すると（Ａ７：ＮＯ）、転送先更新処理に移行し（Ａ９）、転送先更新処理を終了すると、続いて転送元更新処理に移行する（Ａ８）。そして、管理装置６は、転送元更新処理を終了すると、図５に示すように、最転送元（グループの最後の転送処理に対応する（最も左側に表示される）転送元である。尚、後述する最転送先はグループの最初の転送処理に対応する（最も右側に表示される）転送先である。）の台番順にしたがってグループを整列し（Ａ６）、並べ替え処理を終了してメイン処理に戻る。
【００３８】
一方、管理装置６は、修正入力が行われたと判定すると（Ａ２：ＹＥＳ）、修正処理に移行する（Ａ１０）。そして、管理装置６は、修正処理を終了すると、グループを整列し（Ａ６）、並べ替え処理を終了してメイン処理に戻る。
【００３９】
（２）転送先更新処理
管理装置６は、追加入力が新台又は台移動であることに応じて転送先更新処理を開始すると、入力された転送先の台番範囲が入力済みの転送元台番を含んでいるか否かを判定する（Ｂ１）。ここで、管理装置６は、入力された転送先の台番範囲が入力済みの転送元台番を含んでいないと判定すると（Ｂ１：ＮＯ）、台番範囲が入力済みの転送先台番を含んでいるか否かを判定し（Ｂ２）、台番範囲が入力済みの転送先台番を含んでいないと判定すると（Ｂ２：ＮＯ）、台番範囲に「未確定」を設定し（Ｂ３）、転送先更新処理を終了して並べ替え処理に戻る。
【００４０】
一方、管理装置６は、台番範囲が入力済みの転送先台番を含んでいる、即ち、転送先として重複した台番が入力されたと判定すると（Ｂ２：ＹＥＳ）、相手先と台番範囲が一致するか否かを判定し（Ｂ４）、相手先と台番範囲が一致すると判定すると（Ｂ４：ＹＥＳ）、そのまま重複先（相手先）も含めて転送先台番範囲に「未確定重複」を設定する（Ｂ５）。又、管理装置６は、相手先と台番範囲が一致しないと判定すると（Ｂ４：ＮＯ）、重複している台番範囲と重複していない台番範囲とにグループを分割し（Ｂ６）、重複している台番範囲のグループと重複先のグループとの台番範囲（転送先台番範囲）に「未確定重複」を設定する（Ｂ５）。
【００４１】
次いで、管理装置６は、非重複の本グループ（入力された、即ち、更新対象となる台番範囲のグループ）が有るか否か、即ち、本グループのうち分割した重複していない残りの
グループが有るか否かを判定し（Ｂ７）、非重複の本グループが有ると判定すると（Ｂ７：ＹＥＳ）、この場合も、その残りのグループの台番範囲に「未確定」を設定し（Ｂ３）、転送先更新処理を終了して並べ替え処理に戻る。尚、管理装置６は、非重複の本グループが無いと判定すると（Ｂ７：ＮＯ）、転送先更新処理を終了して並べ替え処理に戻る。
【００４２】
一方、管理装置６は、入力された転送先の台番範囲が入力済みの転送元台番を含んでいると判定すると（Ｂ１：ＹＥＳ）、相手先の転送元台番が全て未確定であるか、即ち、相手先の転送元台番に既に転送元台番が対応付けられており、入力された転送先の台番範囲により、相手先の転送元台番に重複した転送先台番が対応付けられることになるのか否かを判定し（Ｂ８）、相手先の転送元台番が全て未確定でない、即ち、相手先の少なくとも一部の転送元台番に重複して転送先台番を対応付けることになると判定すると（Ｂ８：ＮＯ）、相手先と台番範囲が一致するか否かを判定する（Ｂ９）。
【００４３】
ここで、管理装置６は、相手先と台番範囲が一致すると判定すると（Ｂ９：ＹＥＳ）、相手先グループをコピーし（Ｂ１０）、そのコピーしたグループにて既に対応付けられている転送先の代わりに本グループの台番範囲が転送先となるように本グループを統合し（Ｂ１１）、コピー元となる相手先も含めて台番範囲に「重複」を設定する（Ｂ１２）。
【００４４】
一方、管理装置６は、相手先と台番範囲が一致しないと判定すると（Ｂ９：ＮＯ）、入力された台番範囲により、相手先の転送元台番に重複して転送先台番を対応付けることになる台番範囲を別グループにすべくグループを分割する。即ち、管理装置６は、入力された台番範囲の一部に相手先の台番範囲の全てが含まれる場合には、その一部の台番範囲と、それ以外の台番範囲とに本グループを分割する一方、相手先の台番範囲の一部に入力された台番範囲の全てが含まれる場合には、その一部の台番範囲と、それ以外の台番範囲とに相手先となるグループを分割する。尚、管理装置６は、入力された一部の台番範囲と相手先の一部の台番範囲とが一致する場合には、双方のグループを分割する（Ｂ１３）。そして、管理装置６は、相手先の重複している台番範囲グループをコピーし（Ｂ１０）、そのコピーしたグループと重複している本グループとを上記同様に統合し（Ｂ１１）、台番範囲に「重複」を設定する（Ｂ１２）。
【００４５】
次いで、管理装置６は、未統合の本グループが有るか否か、即ち、本グループのうち分割した重複していない残りのグループが有るか否かを判定し（Ｂ１４）、未統合の本グループが無いと判定すると（Ｂ１４：ＮＯ）、転送先更新処理を終了して並べ替え処理に戻る。一方、管理装置６は、未統合の本グループが有ると判定すると（Ｂ１４：ＹＥＳ）、その台番範囲が入力済みの転送元台番を含んでいるか否かを判定する（Ｂ１５）。そして、管理装置６は、台番範囲が入力済みの転送元台番を含んでいないと判定すると（Ｂ１５:ＮＯ）、その台番範囲に「未確定」を設定し（Ｂ２３）、転送先更新処理を終了して並べ替え処理に戻る。
【００４６】
一方、管理装置６は、台番範囲が入力済みの転送元台番を含んでいると判定すると（Ｂ１５:ＹＥＳ）、相手先と台番範囲が一致するか否かを判定する（Ｂ１６）。管理装置６は、相手先と台番範囲が一致しないと判定すると（Ｂ１６：ＮＯ）、上記同様に相手先と本グループとの台番範囲とが一致するようにグループを分割する（Ｂ１７）。即ち、管理装置６は、例えば本グループが１〜１０（台番範囲）、相手先１が１〜５、相手先２が３〜６の場合に、本グループを１〜２、３〜５、６、７〜１０とし、相手先１を１〜２、３〜５とし、相手先２を３〜５、６とする。そして、管理装置６は、相手先が複数となる本グループ（上記例であれば３〜５の本グループが相当する）が有るか否かを判定する（Ｂ１８）。
【００４７】
次いで、管理装置６は、相手先が複数となる本グループ（上記例であれば、３〜５の本グループが相当する）が有ると判定すると（Ｂ１８：ＹＥＳ）、対応する本グループをコピーし（Ｂ１９）、そのコピーしたグループの各々の台番範囲に「重複」を設定し（Ｂ２０）、グループを統合する（Ｂ２１）。即ち、管理装置６は、コピーして「重複」を設定したグループの各々を相手先と統合（上記例であればコピーした３〜５の本グループを各々相手先１及び相手先２と統合）した上で、「重複」が設定されない本グループも相手先と統合（上記例であれば１〜２を相手先１と、６を相手先２と統合）する。
【００４８】
次いで、管理装置６は、最転送元が最転送先に一致するグループが有るか否か、即ち、グループ内で台番がループしていないかを判定し（Ｂ２６）、そのグループが有ると判定すると（Ｂ２６：ＹＥＳ）、その台番範囲に「ループ」を設定する（Ｂ２７）。そして、管理装置６は、未統合の本グループ（上記例であれば７〜１０）が有るか否かを判定し（Ｂ２２）、未統合の本グループが有ると判定すると（Ｂ２２：ＹＥＳ）、台番範囲に「未確定」を設定し（Ｂ２３）、転送先更新処理を終了して並べ替え処理に戻る。尚、管理装置６は、未統合の本グループが無いと判定すると（Ｂ２２：ＮＯ）、転送先更新処理を終了して並べ替え処理に戻る。
【００４９】
又、管理装置６は、相手先と台番範囲が一致すると判定すると（Ｂ１６：ＹＥＳ）、相手先が複数であるか否かを判定し（Ｂ２４）、相手先が複数であると判定すると（Ｂ２４：ＹＥＳ）、本グループをコピーし（Ｂ２５）、上記同様にそのコピーしたグループの各々の台番範囲に「重複」を設定し（Ｂ２０）、グループを統合し（Ｂ２１）、最転送元が最転送先に一致するグループが有るか否かを判定し（Ｂ２６）、未統合の本グループが有るか否かを判定する（Ｂ２２）。又、管理装置６は、相手先が複数でないと判定すると（Ｂ２４：ＮＯ）、グループを統合し（Ｂ１５）、未統合の本グループが有るか否かを判定する（Ｂ２２）。又、管理装置６は、相手先の転送元台番が全て未確定であると判定すると（Ｂ８：ＹＥＳ）、上記したＢ１６以降の処理を実行する。
【００５０】
（３）転送元更新処理
転送元更新処理は上記した転送先更新処理における転送元と転送先との関係を入替えた処理であるので、詳細な説明は省略する。即ち、管理装置６は、追加入力が撤去又は台移動であることに応じて転送元更新処理を開始すると、上記した転送先更新処理における転送元と転送先との関係を入替えた処理を実行する（Ｃ１〜Ｃ２７）。
【００５１】
（４）修正処理
管理装置６は、修正処理を開始すると、修正前の対応箇所を削除し（Ｄ１）、修正後の対応箇所の更新処理を実行する（Ｄ２）。そして、管理装置６は、重複が解消されたか否かを判定し（Ｄ３）、重複が解消されたと判定すると（Ｄ３：ＹＥＳ）、相手先の重複を削除し（Ｄ４）、修正処理を終了してメイン処理に戻る。一方、管理装置６は、重複が解消されなかったと判定すると（Ｄ３：ＮＯ）、修正処理を終了してメイン処理に戻る。
【００５２】
（５）転送処理
管理装置６は、転送処理を開始すると、転送操作が行われたか否かを判定する（Ｅ１）。ここで、管理装置６は、遊技場の管理者が転送釦３１ｅを押下したことで転送操作が行われたと判定すると（Ｅ１：ＹＥＳ）、重複及び未確定の何れもが無いか否かを判定し（Ｅ２）、重複及び未確定の何れもが無いと判定すると（Ｅ２：ＹＥＳ）、機種設定を更新し（Ｅ３）、グループ毎の転送処理に移行する（Ｅ４）。そして、管理装置６は、グループ毎の転送処理を終了すると、転送処理を終了してメイン処理に戻る。
【００５３】
（６）グループ毎の転送処理
管理装置６は、グループ毎の転送処理を開始すると、撤去される台番を転送先とする転送元が有るか否かを判定する（Ｆ１）。ここで、管理装置６は、撤去される台番を転送先とする転送元が有ると判定すると（Ｆ１：ＹＥＳ）、転送元からのデータ転送を実行し、即ち、転送先の台番に対応する情報表示装置３（転送先）へのデータ転送を指示する転送指示信号を転送元の台番に対応する情報表示装置３（転送元）に送信し、転送元のデータを転送先へと転送させ（Ｆ２）、転送元又は転送先からデータ転送が完了した旨の完了信号を受信することで、転送元へのデータ転送が完了したと判定すると（Ｆ３：ＹＥＳ）、データ転送を完了した転送元を転送先とする転送元が有るか否かを判定する（Ｆ４）。そして、管理装置６は、データ転送を完了した転送元を転送先とする転送元が有ると判定すると（Ｆ４：ＹＥＳ）、上記したＦ２に戻り、Ｆ２からＦ４までの処理を繰返して実行する。
【００５４】
一方、管理装置６は、データ転送を完了した転送元を転送先とする転送元が無いと判定すると（Ｆ４：ＮＯ）、新台が有るか否かを判定する（Ｆ５）。そして、管理装置６は、新台が有ると判定すると（Ｆ５：ＹＥＳ）、該当する台番のデータをクリアし、即ち、クリア指示信号を該当台番に対応する情報表示装置３に送信することで、その情報表示装置３のデータをクリアさせ（Ｆ６）、グループ毎の転送処理を終了して転送処理に戻る。一方、管理装置６は、新台が無いと判定すると（Ｆ５：ＮＯ）、ループ転送処理に移行する（Ｆ７）。そして、管理装置６は、ループ転送処理を終了すると、グループ毎の転送処理を終了して転送処理に戻る。
【００５５】
（７）ループ転送処理
管理装置６は、ループ転送処理を開始すると、最も小さい番号（若番）の台番を抽出し（Ｇ１）、抽出した台番を転送元とする自装置（管理装置６）へのデータ転送を実行させ、即ち、自装置へとデータを転送させる転送指示信号を転送元に送信することで、転送元のデータを自装置へと転送させ（Ｇ２）、転送元からのデータの受信を完了し、転送元から受信したデータを記憶部に記憶することにより、転送元から自装置へのデータ転送が完了したと判定すると（Ｇ３：ＹＥＳ）、データ転送を完了した転送元を転送先とする転送元が抽出した台番であるか否かを判定する（Ｇ４）。
【００５６】
そして、管理装置６は、データ転送を完了した転送元を転送先とする転送元が抽出した台番でないと判定すると（Ｇ４：ＮＯ）、データ転送を完了した転送元を転送先とするデータ転送を実行し（Ｇ５）、上記したＧ３に戻り、Ｇ３からＧ４までの処理を繰返して実行する。一方、管理装置６は、データ転送を完了した転送元を転送先とする転送元が抽出した台番であると判定すると（Ｇ４：ＹＥＳ）、転送先へのデータ転送を実行し（Ｇ６）、ループ転送処理を終了してグループ毎の転送処理を終了して転送処理に戻る。
【００５７】
以下、整合表示の推移についての具体例を図１５乃至図１８を参照して説明する。図１５は入力の一例を示しており、図１６は図１５における「ＮＯ１」から「ＮＯ８」までの入力に対応した整合表示部３１ｃにおける整合表示の推移の一例を示している。尚、図１５では理解を容易とするために「入力」欄を設けているが、図５で説明したように「入力」欄は設けなくとも良い。同様に「ＮＯ７」のような修正入力については修正前を左半部に示すと共に修正後を右半部に示しているが入力を上書きするだけでも良い。
【００５８】
図１６（ａ）は、「ＮＯ１」の追加入力、「ＮＯ２」の追加入力及び「ＮＯ３」の追加入力に対応した状態を示している。「ＮＯ１」の追加入力が行われると、転送元更新処理のＣ１にて「ＮＯ」、Ｃ２にて「ＮＯ」と判定することで、転送元台番範囲に「未確定」を設定し（Ｃ３）、「未確定、３０８、Ａ、撤去」を単位とするグループを作成する。「ＮＯ２」の追加入力が行われると、転送先更新処理のＢ１にて「ＮＯ」、Ｂ２にて「ＮＯ」と判定し、転送元更新処理のＣ１にて「ＮＯ」、Ｃ２にて「ＮＯ」と判定することで、転送元（３１５）及び転送先（３０９）台番範囲に「未確定」を設定し、「未確定、３０９、Ａ、３１５、未確定」を単位とするグループを作成する。「ＮＯ３」の追加入力が行われると、「２９８−２９９、Ｂ、３０８−３０９」を単位とするグループを作成する（Ａ３）。
【００５９】
図１６（ｂ）は、「ＮＯ３」のグループ分割に対応した状態を示しており、転送先更新処理のＢ１にて「ＹＥＳ」、Ｂ８にて「ＹＥＳ」、Ｂ１６にて「ＮＯ」と判定することで、これよりも先に作成した「２９８−２９９、Ｂ、３０８−３０９」を単位とするグループを「２９８、Ｂ、３０８」を単位とするグループと「２９９、Ｂ、３０９」を単位とするグループとに分割する（Ｂ１７）。
【００６０】
図１６（ｃ）は、「ＮＯ３」のグループ統合に対応した状態を示しており、転送先更新処理のＢ１８にて「ＮＯ」と判定することで、これよりも先に作成した「未確定、３０８、Ａ、撤去」を単位とするグループと「２９８、Ｂ、３０８」を単位とするグループとを「未確定、２９８、Ｂ、３０８、Ａ、撤去」を単位とするグループに統合し、「未確定、３０９、Ａ、３１５、未確定」を単位とするグループと「２９９、Ｂ、３０９」を単位とするグループとを「未確定、２９９、Ｂ、３０９、Ａ、３１５、未確定」を単位とするグループに統合し（Ｂ２１）、転送元更新処理にて転送元台番範囲を「未確定」とする。
【００６１】
図１６（ｄ）は、「ＮＯ４」の追加入力に対応した状態を示している。「ＮＯ４」の追加入力が行われると、転送先更新処理のＢ１にて「ＹＥＳ」、Ｂ８にて「ＹＥＳ」、Ｂ１６にて「ＹＥＳ」、Ｂ２４にて「ＮＯ」と判定することで、これよりも先に作成した「未確定、２９９、Ｂ、３０９、Ａ、３１５、未確定」を単位とするグループと追加入力された「３１５、Ｃ、撤去」を単位とするグループとを「未確定、２９９、Ｂ、３０９、Ａ、３１５、Ｃ、撤去」を単位とするグループに統合する。
【００６２】
図１６（ｅ）は、「ＮＯ５」の追加入力、「ＮＯ６」の追加入力に対応した状態を示している。「ＮＯ５」の追加入力が行われると、転送先更新処理のＢ１にて「ＮＯ」、Ｂ２にて「ＮＯ」と判定することで、「未確定、３１０−３１１、Ｄ、撤去」を単位とするグループを作成し、「ＮＯ６」の追加入力が行われると、「新台、Ｅ、３０８−３１１」を単位とするグループを作成する。
【００６３】
図１６（ｆ）は、「ＮＯ６」のグループ分割に対応した状態を示しており、これよりも先に作成した「新台、Ｅ、３０８−３１１」を単位とするグループを「新台、Ｅ、３０８」を単位とするグループ、「新台、Ｅ、３０９」を単位とするグループ、「新台、Ｅ、３１０−３１１」を単位とするグループとに分割し（Ｂ１３）、その後に相手先である「３０８、Ａ、撤去」及び「３０９、Ａ、３１５、Ｃ、撤去」をコピーする（Ｂ１０）。
【００６４】
図１６（ｇ）は、重複する本グループを統合した上で、その台番範囲に「重複」を設定し、更に残りのグループを統合した状態を示しており、分割した「新台、Ｅ、３０８」を単位とするグループと、コピーした相手先である「３０８、Ａ、撤去」を単位とするグループとを「新台、Ｅ、３０８重複、Ａ、撤去」を単位とするグループに統合し（Ｂ１１）、同様に「新台、Ｅ、３０９、Ａ、３１５、Ｃ、撤去」を単位とするグループに統合した上で、相手先も含めて重複する台番範囲（「３０８」、「３０９」）に「重複」を設定する（Ｂ１２）。そして、残りの「新台、Ｅ、３１０−３１１」を単位としたグループについて、Ｂ１４にて「ＹＥＳ」、Ｂ１５にて「ＹＥＳ」、Ｂ１６にて「ＹＥＳ」と判定し、更にＢ２４にて「ＮＯ」と判定することで、「３１０−３１１、Ｄ、撤去」を単位とした
グループと統合する（Ｂ２１）。
【００６５】
図１６（ｈ）は、「ＮＯ７」の修正入力に対応した状態を示しており、修正前の対応箇所である「未確定、２９８、Ｂ、３０８重複、Ａ、撤去」についての「３０８重複、Ａ、撤去」を削除し（Ｄ１）、更に、その対応箇所を「３０６、未確定」とする更新処理を行い（Ｄ２）、重複が解消されたことから、Ｄ３にて「ＹＥＳ」と判定することで、相手先である「新台、Ｅ、３０８重複、Ａ、撤去」における「３０８」の台番範囲の「重複」の設定を解除して削除する（Ｄ４）。同様に「未確定、２９９、Ｂ、３０９重複、Ａ、３１５、Ｃ、撤去」を単位とするグループについても「未確定、２９９、Ｂ、３０７、未確定」とし、相手先の「新台、Ｅ、３０９重複、Ａ、３１５、Ｃ、撤去」の重複を削除する。
【００６６】
図１６（ｉ）は、「ＮＯ８」の追加入力、「ＮＯ９」の追加入力に対応した状態を示している。「ＮＯ８」の追加入力が行われると、転送先更新処理のＢ１にて「ＹＥＳ」、Ｂ８にて「ＹＥＳ」、Ｂ１６にて「ＮＯ」と判定することで、グループを分割し、Ｂ１８にて「ＮＯ」と判定することで、グループを統合する。同様に「ＮＯ９」の追加入力が行われると、転送元更新処理にてグループを分割して統合する。
【００６７】
以上のようにして、遊技場の管理者が行った入力操作を配置替え前後の台番にて対応付けて並べ替え、その並べ替えを行った順序にしたがってデータを書換える。尚、整合表示部３１ｃでは「未確定」及び「重複」が強調表示されることで、矛盾が生じている旨を遊技場の管理者が容易に把握することが可能となっている。
【００６８】
図１７は整合表示部３１ｃにおける整合表示の推移の別の例を示している。図１７（ａ）に示す状態で、「新台、Ｃ、３０９−３１１」の追加入力が行われると、転送先更新処理のＢ１にて「ＮＯ」、Ｂ２にて「ＹＥＳ」、Ｂ４にて「ＮＯ」、Ｂ７にて「ＹＥＳ」と判定することで、図１７（ｂ）に示す状態となり、更に「３０９−３１１、Ｄ、撤去」の追加入力が行われると、転送元更新処理のＣ１にて「ＹＥＳ」、Ｃ８にて「ＹＥＳ」、Ｃ１６にて「ＮＯ」と判定することで、グループを分割し、図１７（ｃ）に示す状態となり、更に転送元更新処理のＣ１８にて「ＹＥＳ」と判定することで、本グループをコピーし、図１７（ｄ）に示す状態となる。その後に、台番に「重複」を設定して統合し、図１７（ｅ）に示す状態となり、「新台、３０９−３１１」を「新台、３０６−３０８」と修正する修正入力が行われると、重複を解消し、図１７（ｆ）に示す状態となる。
【００６９】
図１８は整合表示部３１ｃにおける整合表示の推移の別の例を示している。図１８（ａ）に示す状態で、「３０９、Ｂ、３１５」の追加入力が行われると、転送先新処理のＢ２６にて「ＹＥＳ」と判定することで、図１８（ｂ）に示す状態となる。
【００７０】
以上に説明したように本実施形態によれば、次に示す効果を得ることができる。
遊技場の管理者が配置替え前後の遊技機１のＩＤ（台番）を入力すると、その入力操作の対応付けを行い、その入力操作の対応付けにより、遊技情報を転送先へと書換えた情報表示装置３を転送先とする書換処理を実行するように構成したので、遊技場の管理者が書換順序を気遣うことなく入力操作を行ったとしても、その書換処理により遊技情報が消失することを回避することができ、その書換処理に要する処理時間を短縮することができ、しかも、情報表示装置３に書換処理に対応する余分な記憶領域を設ける必要がなくなる。
【００７１】
又、書換処理を実行する場合に、データを転送する必要の無い撤去対象の遊技機１に対応する情報表示装置３を転送先とする書換処理を優先して実行するように構成したので、その書換処理により遊技情報が消失することをより確実に回避することができ、書換処理をより適切に実行することができる。
【００７２】
又、遊技場の管理者が誤って重複したＩＤを転送先又は転送元として入力した場合に、その旨を表示するように構成したので、その表示に応じて重複が無くなるように修正を行うことで矛盾の無い入力操作を行うことができ、誤った入力操作を修正することができ、その処理時間を短縮することができる。
【００７３】
又、未確定である場合に、その旨を表示するように構成したので、その表示に応じて未確定が無くなるように修正を行うことで矛盾の無い入力操作を行うことができ、入力操作の欠落を防ぐことができ、その処理時間を短縮することができる。
【００７４】
又、グループ単位で整合表示を行うように構成したので、グループ単位で容易に把握することができ、この場合、グループの分割により入力操作において複数のＩＤを一括して入力可能にしても、整合表示を的確に可能とする一方、グループの統合によりデータの移動の書換推移を容易に遊技場の管理者に提示することができる。
【００７５】
更に、書換処理がループした場合であっても、遊技情報を管理装置６に一旦記憶させることで退避させるように構成したので、遊技情報が消失することなく書換処理を実行することができる。
【００７６】
本発明は、上記した実施形態にのみ限定されるものではなく、以下のように変形又は拡張することができる。
入力操作として複数の台番を一括入力する場合を説明したが、１台毎に台番を入力する構成としても良い。即ち、グループ単位にて入力、整合表示、転送処理を行わずに、遊技機単位にて入力、整合表示、転送処理を行っても良い。
入力操作において新台、撤去等を管理装置にて判定したが、直接的な入力操作を受付けるようにしても良い。
機種名は特定しても良いし特定しなくても良い。又、表示する場合に特定した機種名が複数あれば並べて表示したが、長い機種名であると表示領域を広くとってしまうので、代表となる機種名のみを表示し、その他の機種は機種名の指定操作等によりポップアップ表示等して別途表示するようにしても良い。
【００７７】
転送処理についてグループ毎に行ったが、グループ内の順番さえ同一であれば遊技機毎に行っても良いし、グループ内にて段階分けし、複数のグループで段階分けした転送処理が完了したことに応じて次の段階の転送処理を実行する等しても良い。
情報表示装置のＩＤとしては台番以外に情報表示装置自体のＩＤ等としても良い。
未確定や重複は簡易的に一方のみを判定しても良いし、転送先及び転送元の一方のみを照合しても良い。
入力に矛盾が生じているか否かを容易に把握するために整合表示部を設けたが、整合表示部を設けなくとも良い。又、グループ毎の表示を行なわずに矛盾の有無のみを表示しても良い。
【００７８】
ループ転送処理にてグループ内の１台の情報表示装置の遊技情報を管理装置にて記憶する構成としたが、複数の情報表示装置の遊技情報を記憶しても良い。
転送対象となる遊技情報としては、図２で説明した遊技情報に限らず、情報表示装置における表示対象となる遊技情報であれば図２以外のどのような遊技情報であっても良い。又、出玉グラフについては所定アウト（１００玉）毎の出玉を転送対象としたり出玉グラフを画像情報として当該画像情報を転送対象としたりすれば良い。
対象となる遊技機は他のスペックのパチンコ遊技機やスロットマシン等でも良い。
管理装置が行う情報処理の一部又は全部を中継装置や情報表示装置等が行うように構成しても良い。勿論、情報表示装置が行う情報処理の一部を中継装置や管理装置等が行うように構成しても良い。
【符号の説明】
【００７９】
図面中、１は遊技機、３は情報表示装置（遊技情報表示装置、書換手段）、５は管理装置（操作手段、特定手段、書換手段、判定手段、対応付手段、表示手段、グループ作成手段、グループ分割手段、グループ統合手段、ループ判定手段、補助記憶手段）である。
【図１】
0005443087.tif 000002
【図２】
0005443087.tif 000003
【図３】
0005443087.tif 000004
【図４】
0005443087.tif 000005
【図５】
0005443087.tif 000006
【図６】
0005443087.tif 000007
【図７】
0005443087.tif 000008
【図８】
0005443087.tif 000009
【図９】
0005443087.tif 000010
【図１０】
0005443087.tif 000011
【図１１】
0005443087.tif 000012
【図１２】
0005443087.tif 000013
【図１３】
0005443087.tif 000014
【図１４】
0005443087.tif 000015
【図１５】
0005443087.tif 000016
【図１６】
0005443087.tif 000017
【図１７】
0005443087.tif 000018
【図１８】
0005443087.tif 000019